(57)【特許請求の範囲】
【請求項１】
シングルデッキ構造の浮屋根式タンクのデッキ板が部分的に撓み変形して凹凸部を生じた場合に、浮屋根を貫通して設けるデッキポーストのうち、撓みの大きい凸部に位置するデッキポーストに、デッキ板の撓みを矯正する荷重付加部材を設置したことを特徴とするシングルデッキ構造浮屋根の撓み矯正用具であって、
上記荷重付加部材は、デッキポーストの中空管材内部に重量の大きい部材を充填する構造に形成したことを特徴とするシングルデッキ構造浮屋根の撓み矯正用具。
【請求項２】
シングルデッキ構造の浮屋根式タンクのデッキ板が部分的に撓み変形して凹凸部を生じた場合に、浮屋根を貫通して設けるデッキポーストのうち、撓みの大きい凸部に位置するデッキポーストに、デッキ板の撓みを矯正する荷重付加部材を設置したことを特徴とするシングルデッキ構造浮屋根の撓み矯正用具であって、
上記荷重付加部材は、デッキポーストの上部から挿通して装着する一体リング部材の構造、或いはデッキポーストの周囲から挟み込んで装着する複数分割リング部材の構造に形成したことを特徴とするシングルデッキ構造浮屋根の撓み矯正用具。
【請求項３】
上記荷重付加部材の下部とデッキ板の上部との間に屋根腐食防止ピースを設け、荷重付加部材相互の間には火花防止部材を設けたことを特徴とする請求項２記載のシングルデッキ構造浮屋根の撓み矯正用具。
【発明の詳細な説明】
【技術分野】
【０００１】
この発明は、浮屋根式タンクのシングルデッキ構造の浮屋根が、撓んで凹凸部が生じ、凹部に雨水が溜って腐食損傷しないように、デッキ板（屋根板）の撓みを矯正する用具に関するものである。
【背景技術】
【０００２】
従来のシングルデッキ構造の浮屋根式タンクのデッキ板の撓み状況の事例を、図９から図１１に示す。
図９に示すように、原油その他の揮発性・可燃性液体を貯蔵する大型の浮屋根タンク１は、円形平板の底板２と円筒体形状の側板３と、この側板３内部の貯蔵液４の液面上に浮べた浮蓋状で一枚板、シングルデッキ構造の浮屋根５とから形成されている。
浮屋根５は、貯蔵液体４の蒸発を抑制するとともに、貯蔵液体４への雨水や異物の混入を防止するように、一枚の薄板鋼板のデッキ板６と、このデッキ板６外周の環状箱体の外周ポンツーン７とから形成され、この外周ポンツーン７と側板３内面との間隙を気密に保持するシール装置と、その上部に雨よけ板８が設けられている。
そして、この浮屋根５の上に降る雨水をデッキ板６の中心部のセンターサンプ９に集め、タンク外部へ排水される。１０は、浮屋根５を底板２の上に支えるためのデッキポーストである。
図９から図１１に示すように、浮屋根５のデッキ板６が撓んでデッキポースト１０の所が上がって凸部６ａが生じ、デッキポースト１０，１０の間が下がって凹部６ｂが生じていた。
【０００３】
浮屋根式タンクの補修方法に関する従来技術には、特開平１０−３１６１９３号（特許文献１参照）「浮屋根式貯蔵タンクのデッキ補修方法」の発明がある。
この特許文献１の発明は、図１２に示すように、シングルデッキ３に貫通孔、亀裂、破損等の貫通部９が生じた場合について、中空管１０、中空弾性袋１２、ガス供給チューブ１２ａなどを用いた具体的な補修方法が記載されている。
【０００４】
また、シングルデッキ構造の浮屋根タンクのデッキ板の上方に補強デッキ板を設けた従来技術には、特開２００６−４４６６８号（特許文献２参照）「シングルデッキ構造浮屋根の補強構造」の発明がある。
この特許文献２の発明は、図１３に示すように、シングルデッキ構造の浮屋根５のデッキ板６、外周ポンツーン７、及び中央ポンツーン１０に、１１Ａ 補強トラスと補強デッキ板１１Ｂからなる補強構造体１１を設けて補強形成するものである。
【０００５】
さらに、シングルデッキ構造の浮屋根タンクのデッキ板を矯正する従来技術の発明には、特開２００９−７８８２６号（特許文献３参照）「貯槽の浮屋根の形成方法及び貯槽の浮屋根」の発明がある。
この特許文献３の発明は、図１４に示すように、固定屋根付浮屋根貯槽のパンタイプ内部浮屋根をポンツーンタイプ内部浮屋根に改造するもので、デッキ３の変形防止として外周のポンツーン６の浮力を増加させる浮き体１５、デッキ３の中央を押さえる重り１６を有するものである。
【先行技術文献】
【特許文献】
【０００６】
【特許文献１】特開平１０−３１６１９３号
【特許文献２】特開２００６−４４６６８号
【特許文献３】特開２００９−７８８２６号
【発明の概要】
【発明が解決しようとする課題】
【０００７】
従来の浮屋根タンクのシングルデッキ構造の浮屋根は、図９から図１１に示すように、薄板を溶接で一体化した柔構造であるため、溶接歪や荷重変化などで撓んだデッキ板６の凹部６ｂに、雨水が滞留し腐食して損傷することがあった。この損傷によって凹部６ｂが開口して貯槽液が上昇し、浮力の低下を来す心配も生じた。
【０００８】
図１２に示す特許文献１の「浮屋根式貯蔵タンクのデッキ補修方法」は、デッキ板を部分的に補強することは出来るが、総体的にデッキ板の撓みを矯正するものではなかった。
【０００９】
また、図１３に示す特許文献２の「シングルデッキ構造浮屋根の補強構造」の発明は、ポンツーン及びデッキ板について剛強度を持たせるように改造する大掛かりな補強構造であった。
【００１０】
さらに、図１４に示す特許文献３の「貯槽の浮屋根の形成方法及び貯槽の浮屋根」の発明は、デッキ板の撓み部を矯正し雨水の滞留を防止するものではなかった。
【００１１】
この発明の目的は、上述の従来技術が有する問題点に鑑みてなされたもので、浮屋根式タンクのシングルデッキ構造のデッキ板が撓んで変形して凹凸部が生じた場合に、雨水が溜って腐食が発生し損傷や水平状態が変化などしないようにして、耐久性、安全性に優れたシングルデッキ構造浮屋根の撓み矯正用具を提供するものである。
【課題を解決するための手段】
【００１３】
請求項１の発明に係るシングルデッキ構造浮屋根の撓み矯正用具は、シングルデッキ構造の浮屋根式タンクのデッキ板が部分的に撓み変形して凹凸部を生じた場合に、浮屋根を貫通して設けるデッキポーストのうち、撓みの大きい凸部に位置するデッキポーストに、デッキ板の撓みを矯正する荷重付加部材を設置したことを特徴とするシングルデッキ構造浮屋根の撓み矯正用具であって、
上記荷重付加部材は、デッキポーストの中空管材内部に重量の大きい部材を充填する構造に形成したものである。
【００１４】
請求項２の発明に係るシングルデッキ構造浮屋根の撓み矯正用具は、シングルデッキ構造の浮屋根式タンクのデッキ板が部分的に撓み変形して凹凸部を生じた場合に、浮屋根を貫通して設けるデッキポーストのうち、撓みの大きい凸部に位置するデッキポーストに、デッキ板の撓みを矯正する荷重付加部材を設置したことを特徴とするシングルデッキ構造浮屋根の撓み矯正用具であって、
上記荷重付加部材は、デッキポーストの上部から挿通して装着する一体リング部材の構造、或いはデッキポーストの周囲から挟み込んで装着する複数分割リング部材の構造に形成したものである。
【００１６】
請求項３の発明に係るシングルデッキ構造浮屋根の撓み矯正用具は、上記請求項２記載の荷重付加部材の下部とデッキ板の上部との間に屋根腐食防止ピースを設け、荷重付加部材相互の間には火花防止部材を設けたものである。
【発明の効果】
【００１８】
請求項１の発明に係るシングルデッキ構造浮屋根の撓み矯正用具は、シングルデッキ構造の浮屋根式タンクのデッキ板が部分的に撓み変形して凹凸部を生じた場合に、浮屋根を貫通して設けるデッキポーストのうち、撓みの大きい凸部に位置するデッキポーストに、デッキ板の撓みを矯正する荷重付加部材を設置したことを特徴とするシングルデッキ構造浮屋根の撓み矯正用具であって、上記荷重付加部材は、デッキポーストの中空管材内部に重量の大きい部材を充填する構造に形成したので、
タンクの使用を停止することなく浮屋根の浮上時に、撓みの高い凸部に位置するデッキポーストを利用して簡単に取付けて短時間に撓みを矯正することができる。
また、上記デッキポーストの中空管材の内部に、砂や砕石、コンクリート材、合成樹脂材、或いは金属片などの重量の大きい部材を、必要位置に適量充填することによって、デッキポースト自体を利用して重量を増加し撓みの高い凸部を押下げることができる。
【００１９】
請求項２の発明に係るシングルデッキ構造浮屋根の撓み矯正用具は、シングルデッキ構造の浮屋根式タンクのデッキ板が部分的に撓み変形して凹凸部を生じた場合に、浮屋根を貫通して設けるデッキポーストのうち、撓みの大きい凸部に位置するデッキポーストに、デッキ板の撓みを矯正する荷重付加部材を設置したことを特徴とするシングルデッキ構造浮屋根の撓み矯正用具であって、上記荷重付加部材は、デッキポーストの上部から挿通して装着する一体リング部材の構造、或いはデッキポーストの周囲から挟み込んで装着する複数分割リング部材の構造に形成したので、
タンクの使用を停止することなく浮屋根の浮上時に、撓みの高い凸部に位置するデッキポーストを利用して簡単に取付けて短時間に撓みを矯正することができる。
一体リング部材の構造の荷重付加部材にあっては、重量の小さい荷重付加部材を複数個積層して行う場合に、着脱の作業を簡単容易に短時間に行うことが可能となる。  また、複数分割リング部材の構造の荷重付加部材にあっては、固定具やブラケットが突出している場合に、重量の大きい荷重付加部材の場合であっても簡単容易に着脱することができる。
このように、上記荷重付加部材は、デッキ板の撓みの大きさ、つまり凸部の高さ程度に応じて、その枚数を複数個重ね合わせて増やし重さを調整して撓みを矯正することができる。
【００２１】
請求項３の発明に係るシングルデッキ構造浮屋根の撓み矯正用具は、上記請求項２記載の荷重付加部材の下部とデッキ板の上部との間に屋根腐食防止ピースを設け、荷重付加部材相互の間には火花防止部材を設けたので、
着脱作業時や使用時に腐食防止ピースによってデッキ板との間隔を保持し排水性を良くして腐食の発生を防止し、さらに火花防止材によって荷重付加部材の装着時や使用中に火花を発生することがなく安全性を確保することができる。
【図面の簡単な説明】
【００２２】
【図１】この発明に係るシングルデッキ構造浮屋根の撓み矯正用具を示す側断面説明図である。
【図２】図１のＡ部に示すデッキポーストに設ける荷重付加部材の第１実施形態例を示す側断面説明図である。
【図３】図１のＢ部に示すデッキポーストに設ける荷重付加部材の第２実施形態例を示す側断面説明図である。
【図４】荷重付加部材の第３実施形態例の平面説明図である。
【図５】荷重付加部材の第４実施形態例の平面説明図である。
【図６】図３の変化例で、デッキポーストに設ける荷重付加部材を示す側断面説明図である。
【図７】荷重付加部材の第３実施形態例の変化事例を示す平面説明図である。
【図８】荷重付加部材の第４実施形態例の変化事例を示す平面説明図である。
【図９】従来例の浮屋根式タンクのシングルデッキ構造の浮屋根の撓み状況を示す側断面説明図である。
【図１０】図９に示すシングルデッキ構造の浮屋根の平面説明図である。
【図１１】図９の部分拡大説明図である。
【図１２】従来技術の補修事例を説明する図である。
【図１３】従来技術の構造事例１を示す説明図である。
【図１４】従来技術の構造事例２を示す説明図である。
【発明を実施するための形態】
【００２３】
この発明に係るシングルデッキ構造浮屋根の撓み矯正用具の実施の形態について、図１乃至図８を参照して説明する。
図１はシングルデッキ構造浮屋根の撓み矯正用具を示す一部を欠如した側断面説明図である。
図１に示すように、側板３内部の貯蔵液４の液面上に浮べた浮屋根５のデッキ板６（屋根板）が撓んで生じた凸部６ａ、凹部６ｂを矯正するために、撓みの大きい凸部６ａに位置するデッキポースト１０に荷重付加部材１１を設置する。荷重付加部材１１の実施形態例としてＡ部に１１Ａ、Ｂ部に１１Ｂをそれぞれ示す。
図のように、貯槽使用時の浮屋根５が浮上した状態で、凸部６ａを押下げることによって凹部６ｂが上昇して撓んだデッキ板６が水平面に矯正される。デッキ板６の外周部の環状の外周ポンツーン７、雨よけ板８及びデッキ板６上への降雨は、デッキ板６中央部のセンターサンプ９に向かって流れ勾配をもって集めることができる。
【００２４】
図２は、図１のＡ部を拡大して示すもので、荷重付加部材１１Ａは、中空管材１０ａとスリーブ１０ｂと固定ボルトナット１０ｃとからなるデッキポースト１０の中空管材１０ａの内部に、砂や砕石、コンクリート材、合成樹脂材、或いは金属片などの重量の大きい部材を、必要位置に適量充填する構造に形成する。
或いは、中空管材１０ａよりなるデッキポースト１０自体を、重量の大きい肉厚管や金属製の棒材からなる中実部材とする構造に形成する。
このデッキポースト１０は、デッキ板６の撓みと凸部６ａの高さ程度に応じて重さの異なるデッキポースト１０を適用して押下げ、調整や差換えなどして設置する。
このように、デッキポースト１０自体を利用し、特別な別途部材の取付けや設置をすることなく重量を適宜調整して設置することができる。
【００２５】
図３は、図１のＢ部を拡大して示すもので、デッキポースト１０のスリーブ１０ｂを支えるブラケット１４がデッキ板６の下部にある場合の、荷重付加部材１１Ｂの事例である。
この荷重付加部材１１Ｂはデッキポースト１０の周囲に、１１ａ，１１ｂ・・・と複数個重ね合わせて装着して、デッキ板６の凸部６ａの高さ程度に応じて枚数を多くして押え荷重を増加させる。
この重りとなる荷重付加部材１１Ｂは、鋼材、合成樹脂材、コンクリート材、或いは水を入れた箱体などで形成する。
また、腐食防止ピース１２はデッキ板６との間隔を保持するように設け、火花防止材１３は鋼材で形成した荷重付加部材１１ａ，１１ｂが相互に打ち当って火花を発生しないように介装する。
このように、腐食防止ピース１２によってデッキ板６との間隔を保持し排水性を良くして腐食の発生を防止し、さらに火花防止材１３によって荷重付加部材１１Ｂの装着時や使用中に火花を発生することなく安全性が確保される。
【００２６】
図４は、上記図３に示す荷重付加部材１１Ｂを上から見た平面図で、デッキポースト１０に上から挿通する構造にして、この挿通の際に固定ボルトナット１０ｃが引掛かからないように中空のくり抜き部１５を設けている。
図３、図４に示すように、荷重付加部材１１Ｂは重量が小さい場合には、デッキポースト１０に上から簡単に挿通することができ、デッキ板６の凸部６ａの高さ程度に応じて枚数を増やし重量を調整して撓みを矯正することができる。なお、くり抜き部１５には、弾力性を有する部材を充填して移動しないようにする。
【００２７】
図５に示す荷重付加部材１１Ｂは、２分割として両側から挟み込んで装着するようにした事例である。
この荷重付加部材１１Ｂは、デッキポースト１０の両側から、嵌め込み１６、１６Ａ，１６Ｂ、及び嵌め込み１７、１７Ａ，１７Ｂを合致させて連結する構造とする。
このように、荷重付加部材１１Ｂを２分割の嵌め込み１６、１６Ａ，１６Ｂ、１７、１７Ａ，１７Ｂの連結構造とすることにより、重量の大きい荷重付加部材１１Ｂの場合には、デッキポースト１０の低い位置で両側から作業性良く装着することができる。
【００２８】
図６は、図３の変化例で、デッキポースト１０を支えるブラケット１４がデッキ板６の上部にある場合の、荷重付加部材１１Ｂの事例である。
この場合、荷重付加部材１１Ｂはブラケット１４に引っ掛からないようにデッキポースト１０に装着する図７及び図８に示すような構造とする。この荷重付加部材１１Ｂは、デッキ板６の撓みの大きさ、つまり凸部６aの高さ程度に応じて、荷重付加部材１１Ｂの枚数を１１ａ，１１ｂ・・・と複数個重ね合わせて増やし重さを調整して撓みを矯正する。
また、腐食防止ピース１２はデッキ板６との間隔を保持するように設け、火花防止材１３は鋼材で形成した荷重付加部材１１ａ，１１ｂが相互に打ち当って火花を発生しないように介装する。
このように、腐食防止ピース１２によってデッキ板６との間隔を保持し排水性を良くして腐食の発生を防止し、さらに火花防止材１３によって荷重付加部材１１Ｂの装着時や使用中に火花を発生することなく安全性が確保される。
【００２９】
図７は、上記図６に示す荷重付加部材１１Ｂを上から見た平面図で、デッキポースト１０に上から挿通するように中空のくり抜き部１５を設けるとともに、ブラケット１４が引っ掛からないように挿通する切り欠き部１８を設ける。この切り欠き部１８の大きさは、ブラケット１４の張出し度合いに対応して形成する。
【００３０】
図８は、荷重付加部材１１Ｂを３分割とした事例を示すもので、ブラケット１４に当たらないように水平３方向から挟み込んで装着し、その外周を締付けバンドなどの固定具１９で相互に動かないように固定するように形成する。
このように、荷重付加部材１１Ｂを３分割とすることにより、重量の大きい荷重付加部材１１Ｂの場合には、デッキポースト１０へ作業性良く装着することができる。
【産業上の利用可能性】
【００３１】
この発明のシングルデッキ構造浮屋根の撓み矯正用具は、既設の浮屋根デッキ板の撓み矯正に適用するのみならず、新規の浮屋根デッキ板の流れ勾配の調整にも適用することができ、デッキ板の上に雨水が滞留しないようにして腐食の発生を防止し、浮屋根が部分的に沈下したり傾いたり沈没などしないようにして、耐久性、安全性に優れた浮屋根を確保することができる。
【符号の説明】
【００３２】
１  浮屋根タンク
２  底板
３  側板
４  貯蔵液
５  浮屋根
６  デッキ板
７  外周ポンツーン
８  雨よけ板
９  センターサンプ
１０  デッキポースト
１１，１１Ａ，１１Ｂ  荷重付加部材
１２  腐食防止ピース
１３  火花防止材
１４  ブラケット
１５  くり抜き部
１６  嵌め込み
１７  嵌め込み
１８  切り欠き部
１９  固定具
【図１】
0005920700.tif 000002
【図２】
0005920700.tif 000003
【図３】
0005920700.tif 000004
【図４】
0005920700.tif 000005
【図５】
0005920700.tif 000006
【図６】
0005920700.tif 000007
【図７】
0005920700.tif 000008
【図８】
0005920700.tif 000009
【図９】
0005920700.tif 000010
【図１０】
0005920700.tif 000011
【図１１】
0005920700.tif 000012
【図１２】
0005920700.tif 000013
【図１３】
0005920700.tif 000014
【図１４】
0005920700.tif 000015